(57)【要約】【課題】本開示は、液剤投入口に付着している洗剤が飛散することを抑止する洗濯機を提供する。【解決手段】本開示における洗濯機は、水槽３と、水槽３に回転可能に内包されたタンク１と、タンク１を回転駆動するモータ４と、水槽３とタンク１との間を覆うように、水槽３の上部に配設された水槽カバー１５と、を備える。水槽カバー１５には、水槽３とタンク１との間に液体洗剤を投入可能とする洗剤投入口１６が設けられる。また、洗剤投入口１６は、水槽３の内部に開口する開口部１６ｆを有し、脱水動作時においてタンク１が回転する向きに発生する風が投入口１６の上方へ流入する構造である第２のリブ１７ｂを有さない。これにより、タンク１の回転により発生した風が、液体洗剤を巻き上げて洗剤投入口１６の上方に流出することを抑止できる。【選択図】図５
2020127609.tif 000002
【特許請求の範囲】
【請求項１】
水槽と、
前記水槽に回転可能に内包された洗濯槽と、
前記洗濯槽を回転駆動するモータと、
前記水槽と前記洗濯槽との間を覆うように、前記水槽の上部に配設された水槽カバーと、を備え、
前記水槽カバーには、前記水槽と前記洗濯槽との間に液剤を投入可能とする投入口が設けられ、
前記投入口は、前記水槽の内部に開口する開口部を有し、脱水動作時において前記洗濯槽が回転する向きに発生する風が前記投入口の上方へ流入する構造を有さない、洗濯機。
【請求項２】
水槽と、
前記水槽に回転可能に内包された洗濯槽と、
前記洗濯槽を回転駆動するモータと、
前記水槽と前記洗濯槽との間を覆うように、前記水槽の上部に配設された水槽カバーと、を備え、
前記水槽カバーには、前記水槽と前記洗濯槽との間に液剤を投入可能とする投入口が設けられ、
前記投入口は、前記水槽の内部に開口する開口部と、脱水動作時において前記洗濯槽が回転する向きに対して、少なくとも一部が、下部が上部に対して先行するように傾斜して形成され、前記開口部に向かって延伸する第１のリブと、を有し、
上部が下部に対して先行するように傾斜して形成され、前記開口部に向かって延伸する第２のリブを有さないことを特徴とする、請求項１に記載の洗濯機。
【請求項３】
前記投入口には、前記第１のリブが複数形成されており、複数の前記第１のリブは略平行に配設されている、請求項１に記載の洗濯機。
【請求項４】
前記投入口には前記第１のリブが一つ形成されており、前記開口部は前記第１のリブの下端よりも先行する位置に形成されている、請求項１に記載の洗濯機。
【請求項５】
水槽と、
前記水槽に回転可能に内包された洗濯槽と、
前記洗濯槽を回転駆動するモータと、
前記水槽と前記洗濯槽との間を覆うように、前記水槽の上部に配設された水槽カバーと、を備え、
前記水槽カバーには、前記水槽と前記洗濯槽との間に液剤を投入可能とする投入口が設けられ、
前記投入口は、前記水槽の内部に開口する開口部と、
少なくとも一部が、下部が上部に対して先行するように傾斜して形成され、前記開口部に向かって延伸する第１のリブと、
上部が下部に対して先行するように傾斜して形成され、下端が前記第１のリブの下端の近傍かつ上方に位置する第２のリブと、を有する、
洗濯機。
【発明の詳細な説明】
【技術分野】
【０００１】
本開示は、液剤を用いて衣類を洗濯する洗濯機に関する。
【背景技術】
【０００２】
特許文献１は、洗濯兼脱水槽と水受け槽との間に洗剤を投入する洗濯機を開示する。
【０００３】
この洗濯機は、水受け槽と、水受け槽内に回転自在に配設された洗濯兼脱水槽と、水受け槽の上方を覆う水受け槽カバーと、を備える。水受け槽カバーには、粉末洗剤を投入する粉末洗剤投入口が設けられている。
【先行技術文献】
【特許文献】
【０００４】
【特許文献１】特開２０００−２９６２９１号公報
【発明の概要】
【発明が解決しようとする課題】
【０００５】
前記従来の構成では、脱水時において、洗濯兼脱水槽が水受け槽の内部で回転駆動されると、洗濯兼脱水槽と水受け槽との間で風が発生する。すると、発生した風が洗剤投入口を通過して上方に流出し、洗剤投入口に付着している洗剤を飛散させるという課題があった。
【０００６】
本開示は、洗剤投入口に付着している洗剤が飛散することを抑止する洗濯機を提供する。
【課題を解決するための手段】
【０００７】
本開示における洗濯機は、水槽と、前記水槽に回転可能に内包された洗濯槽と、前記洗濯槽を回転駆動するモータと、前記水槽と前記洗濯槽との間を覆うように、前記水槽の上部に配設された水槽カバーと、を備える。前記水槽カバーには、前記水槽と前記洗濯槽との間に液剤を投入可能とする投入口が設けられ、前記投入口は、前記水槽の内部に開口する開口部を有し、脱水動作時において前記洗濯槽が回転する向きに発生する風が前記投入口の上方へ流入する構造を有さない。
【発明の効果】
【０００８】
本開示における洗濯機は、洗剤投入口に付着している洗剤が飛散することを抑止できる。
【図面の簡単な説明】
【０００９】
【図１】実施の形態１における洗濯機の縦断面図
【図２】（ａ）同洗濯機の水槽カバーの上面図、（ｂ）同洗濯機の洗剤投入口の拡大上面図
【図３】（ａ）図２（ａ）におけるＡ−Ａ断面図、（ｂ）図２（ａ）におけるＢ−Ｂ断面図
【図４】（ａ）従来の洗濯機の洗剤投入口における洗剤の流路を示す模式図、（ｂ）同洗濯機の洗剤投入口における風の動きを示す模式図
【図５】（ａ）実施の形態１における洗濯機の洗剤投入口における洗剤の流路を示す模式図、（ｂ）同洗濯機の洗剤投入口における風の動きを示す模式図
【図６】（ａ）図２（ｂ）におけるＡ−Ａ断面に対応する、実施の形態２における洗濯機の洗剤投入口のＡ−Ａ断面図、（ｂ）図２（ｂ）におけるＢ−Ｂ断面に対応する、実施の形態２における洗濯機の洗剤投入口のＢ−Ｂ断面図
【図７】（ａ）実施の形態２における洗濯機の洗剤投入口における洗剤の流路を示す模式図、（ｂ）同洗濯機の洗剤投入口における風の動きを示す模式図
【図８】（ａ）図２（ｂ）におけるＢ−Ｂ断面に対応する、実施の形態３における洗濯機の洗剤投入口のＡ−Ａ断面図、（ｂ）図２（ｂ）におけるＢ−Ｂ断面に対応する、実施の形態２における洗濯機の洗剤投入口のＢ−Ｂ断面図
【図９】（ａ）実施の形態３における洗濯機の洗剤投入口における洗剤の流路を示す模式図、（ｂ）同洗濯機の洗剤投入口における風の動きを示す模式図
【発明を実施するための形態】
【００１０】
以下、図面を参照しながら、実施の形態を詳細に説明する。なお、添付図面および以下の説明によって本発明が限定されるものではない。
【００１１】
（実施の形態１）
以下、図１〜図５を用いて、実施の形態１を説明する。
【００１２】
図１は、実施の形態１における洗濯機の縦断面図である。
【００１３】
図１において、洗濯機本体６の内部には、水槽３が支持棒７により揺動可能に支持されている。水槽３の内部には、上部にバランサー８を有し、有底円筒形に形成されたタンク１が回転可能に内包されている。タンク１には上方に開口する衣類投入口（図示せず）が形成されており、衣類投入口は開閉可能に設けられたフタ１４により覆われている。使用者は、フタ１４を上方に持ち上げることで衣類投入口を通じてタンク１内に洗濯物を投入することができる。洗濯機本体６の前方上部には、表示基板１０が設けられており、使用者が洗濯条件等を入力および認識できるようにしている。
【００１４】
タンク１の側壁には、水槽３内に通じる多数の小孔が形成されており、タンク１の内底部にはパルセータ２が設けられている。また、タンク１の下方にはモータ４及びギア５が設けられている。ギア５は、タンク１とパルセータ２の駆動の切り替えを行うとともに、モータ４の回転駆動力をタンク１及びパルセータ２に伝達して回転させる。洗濯機は、洗濯運転時にはタンク１やパルセータ２を回転駆動させることにより水中で洗濯物を攪拌し、脱水運転時には小孔を通じて水を水槽３側へと排出する。
【００１５】
水槽カバー１５はタンク１及び水槽３の上方を覆うように設けられており、水槽カバー１５の手前側方部には洗剤投入口１６が形成されている。洗剤投入口１６は、水槽カバー１５の上面と下面を連通する形で設けられ、投入された洗剤を水槽３の内部へと導入する。なお、洗剤投入口１６の詳細構造については後述する。また、洗濯機本体６には、洗剤投入口の上方に位置する部分に切欠けが形成されており、使用者が洗剤投入口に対して直接洗剤を投入することが可能となっている。
【００１６】
続いて、洗剤投入口の詳細構造を説明する。
【００１７】
図２（ａ）は、実施の形態１における洗濯機の水槽カバーの図、図２（ｂ）は、同洗濯機の水槽カバーに設けられた洗剤投入口の拡大図、図３（ａ）は、従来の洗濯機の洗剤投入口における風の動きを示す模式図、図３（ｂ）は、実施の形態１における洗濯機の洗剤投入口における風の動きを示す模式図である。
【００１８】
図２（ｂ）に示すように、洗剤投入口１６は、水槽カバー１５の内周側から外周側にかけて傾斜する傾斜面１６ａと、複数個設けられたリブ１６ｂを備えている。リブ１６ｂは
それぞれ略平行となるように傾斜して配設されており、リブ１６ｂの間を複数の空間１６ｅに区切っている。洗剤投入口１６は空間１６ｅにより上下に連通するように形成されており、空間１６ｅの下端は開口部１６ｆとして水槽３の内部に開口している。
【００１９】
以上のように構成された洗濯機について、その動作を以下説明する。
【００２０】
洗濯行程では、タンク１内に投入された洗濯物（衣類等）の量に適した水量を給水弁１１から給水経路１２を通して水槽３に供給する。
【００２１】
使用者は、衣類投入時、または給水時とほぼ同時に、洗剤投入口１６から洗剤を投入する。洗剤投入口１６に投入された液体洗剤は、傾斜面１６ａを伝ってリブ１６ｂ又は開口部１６ｆへと流れ落ちる。リブ１６ｂに落ちた洗剤はリブ１６ｂの傾斜を伝って流れ落ち、リブ１６ｂの下端から開口部１６ｆを通過して水槽３内に落下する。この時、液体洗剤の一部は、リブ１６ｂの表面１６ｃやリブ１６ｂの下端に付着して残留する。
【００２２】
洗剤投入後、衣類の汚れを除去する洗い行程、洗濯水を排水して新たな水ですすぐすすぎ工程、衣類の含む水分を脱水する脱水工程等、一連の洗濯運転が実行される。
【００２３】
続いて、脱水時における洗剤投入口の作用を説明する。
【００２４】
図４（ａ）は、（ａ）従来の洗濯機の洗剤投入口における洗剤の流路を示す模式図、図４（ｂ）は、同洗濯機の洗剤投入口における風の動きを示す模式図である。
【００２５】
従来の洗剤投入口１７には、図４（ａ）で示すように、タンク１の回転方向の上流側に設けられたリブ１７ａと、下流側に設けられた第２のリブ１７ｂが配設されている。リブ１７ａは、タンク１の回転方向に対して下部が上部に先行するように傾斜しており、第２のリブ１７ｂは、上部が下部に対して先行するように傾斜している。洗剤投入時には、傾斜面１６ａから流れ落ちた液体洗剤は、開口部に直接落下するか、リブ１７ａ又は第２のリブ１７ｂを伝って流れ落ちる。従って、液体洗剤は、リブ１７ａと第２のリブ１７ｂの表側にそれぞれ付着した状態となる。
【００２６】
脱水工程では、タンク１を高速回転させることにより遠心力を発生させ、衣類に含まれた水分を小孔を通じてタンク１外へと排出させる。この時、タンク１と水槽３との間では、タンク１の外壁面によりタンク１の回転方向と同方向の風が発生する。
【００２７】
脱水工程時、洗剤投入口に流入した風は、第２のリブ１７ｂに沿って上昇する。この時、風が通る経路と液体洗剤が流れ落ちる経路が重複しているため、風が第２のリブ１７ｂに付着している液体洗剤を巻き上げ、洗剤投入口の上方へと飛散させるという課題があった。洗剤投入口の上方へ飛散した液体洗剤は、洗剤投入口の近傍だけでなく、洗濯機本体６の内部や洗濯機が設置された床面に付着する。従って、脱水時に発生する風が洗剤投入口を通過することを抑制する必要がある。
【００２８】
図５（ａ）は、実施の形態１における洗濯機の洗剤投入口における洗剤の流路を示す模式図、図５（ｂ）は、同洗濯機の洗剤投入口における風の動きを示す模式図である。
【００２９】
実施の形態１における洗剤投入口１６は、第２のリブ１７ｂを設けずに、複数のリブ１６ｂを設けている。リブ１６ｂは、脱水時の回転方向に対して、下方が上方よりも先行するように傾斜して配置されている。洗剤投入口１６よりも下方で発生した風は、リブ１６ｂの裏面１６ｄに衝突し、水槽３の内部へと進む。従って、タンク１の回転により発生した風が、液体洗剤を巻き上げて洗剤投入口１６の上方に流出することを抑止できる。
【００３０】
また、図４（ｂ）に示すように、裏面１６ｄに衝突して水槽３の内部へと進む風の流れは、リブ１６ｂの上部から下方に向かう気流を発生させる。この気流に晒されることで、表面１６ｃに付着している液体洗剤は下方に流れ落ちる。このように、脱水運転の度に、リブ１６ｂの下方に向かう気流が表面１６ｃに付着した液体洗剤を落としていくため、洗剤投入口１６に液体洗剤が残留することを抑止できる。そのため、洗剤投入口１６において徐々に液体洗剤がこびりつくことを防ぐことができる。
【００３１】
また、リブ１６ｂを、脱水時の回転方向に対して、下方が上方よりも先行するように傾斜して配置したことにより、表面１６ｃには液体洗剤が流れ、裏面１６ｄには風が衝突する。このように、液体洗剤が流れる面に風が衝突しないように構成したことで、液体洗剤が風により巻き上げられることを抑止している。従って、タンク１の回転により発生した風が、液体洗剤を巻き上げて洗剤投入口１６の上方へ流出することを抑止できる。
【００３２】
また、裏面１６ｄに衝突した風の一部は、洗剤投入口１６の上方に流出することが想定される。しかし、実施の形態１におけるリブ１６ｂは、洗剤投入口１６内の空間を複数の空間１６ｅに区切ることで、それぞれの空間１６ｅ内に入り込んだ風を分断している。この分断により、それぞれの空間１６ｅ内における風量が減るため、洗剤投入口１６の上方へと流出する風の量を減らすことができる。また、リブ１６ｂを複数設けたことにより、開口部１６ｆを複数に分断している。これにより、風が上方へ向かうことを抑止しつつ、開口部１６ｆの面積を広く取ることができるので効率よく洗剤を投入することができる。
【００３３】
以上のように、実施の形態１における洗濯機は、水槽３と、水槽３に回転可能に内包されたタンク１と、タンク１を回転駆動するモータ４と、水槽３とタンク１との間を覆うように、水槽３の上部に配設された水槽カバー１５と、を備える。水槽カバー１５には、水槽３とタンク１との間に液体洗剤を投入可能とする洗剤投入口１６が設けられ、洗剤投入口１６は、水槽３の内部に開口する開口部１６ｆを有し、脱水動作時においてタンク１が回転する向きに発生する風が投入口１６の上方へ流入する構造である第２のリブ１７ｂを有さない。
【００３４】
これにより、洗剤投入口１６よりも下方で発生した風が、第２のリブ１７ｂの傾斜に沿って上方に進むことを抑止できる。そのため、タンク１の回転により発生した風が、液体洗剤を巻き上げて洗剤投入口１６の上方に流出することを抑止できる。
【００３５】
また実施の形態１における洗濯機のように、洗剤投入口１６は、脱水動作時において脱水動作時においてタンク１が回転する向きに対して、上部が下部に対して先行するように傾斜して形成され、開口部１６ｆに向かって延伸する第２のリブ１７ｂを有さないようにしてもよい。
【００３６】
これにより、洗剤投入口１６よりも下方で発生した風が、第２のリブ１７ｂの傾斜に沿って上方に進むことを抑止できる。そのため、タンク１の回転により発生した風が、液体洗剤を巻き上げて洗剤投入口１６の上方に流出することを抑止できる。
【００３７】
また実施の形態１における洗濯機のように、洗剤投入口１６は、少なくとも一部が、下部が上部に対して先行するように傾斜して形成され、開口部１６ｆに向かって延伸するリブ１６ｂ、を有するようにしてもよい。
【００３８】
これにより、洗剤投入口１６よりも下方で発生した風は、リブ１６ｂの裏面１６ｄに衝突し、水槽３の内部へと進む。そのため、タンク１の回転により発生した風が、液体洗剤を巻き上げて洗剤投入口１６の上方に流出することを抑止できる。
【００３９】
また実施の形態１における洗濯機のように、洗剤投入口１６には、リブ１６ｂが複数形成されており、複数のリブ１６ｂは略平行に配設されているようにしてもよい。
【００４０】
これにより、タンク１の回転により発生した風が上方へ向かうことを抑止しつつ、洗剤投入口１６の総面積を大きくすることができる。そのため、タンク１の回転により発生した風が、液体洗剤を巻き上げて洗剤投入口１６の上方に流出することを抑止しつつ、洗剤の投入を効率よく行うことが可能となる。
【００４１】
（実施の形態２）
実施の形態２における洗濯機は、洗剤投入口１６の代わりに洗剤投入口１８を備えることを除くと、実施の形態１における洗濯機と同様の構成である。
【００４２】
図６（ａ）は、図２（ｂ）におけるＡ−Ａ断面に対応する、実施の形態２における洗濯機の洗剤投入口のＡ−Ａ断面図、図６（ｂ）は、図２（ｂ）におけるＢ−Ｂ断面に対応する、実施の形態２における洗濯機の洗剤投入口のＢ−Ｂ断面図である。
【００４３】
図６に示すように、洗剤投入口１８の上部には、洗剤を導入する傾斜面１８ａを備えており、傾斜面１８ａの下端の一部から、ただ一つのリブ１８ｂが形成されている。また、実施の形態２における開口部１８ｃは、脱水時の回転方向に対して先行する側において傾斜面１８ａの下端に位置する。洗剤投入口１８は、洗剤投入口１８に投入された液体洗剤が、傾斜面１８ａを伝って流れ落ち、リブ１８ｂ又は開口部１８ｃに落下するように構成されている。開口部１８ｃは水槽３の内部に向かって開口しているので、落ちた液体洗剤は水槽３に到達する。
【００４４】
以上のように構成された洗濯機について、脱水時における洗剤投入口の作用を以下説明する。
【００４５】
図７（ａ）は、実施の形態２における洗濯機の洗剤投入口における洗剤の流路を示す模式図、図７（ｂ）は、同洗濯機の洗剤投入口における風の動きを示す模式図である。
【００４６】
脱水時に発生した風は、図６に示すように、リブ１８ｂの裏面、又は上壁１８ｄに衝突して回転方向へと抜けて行く。このように、脱水時の回転方向に対して先行する側に位置するリブを設けないことにより、風が洗剤投入口１８内に入り込むことを抑制できる。また、リブ１８ｂは、タンク１の回転方向における開口部１８ｃの幅が狭くなるように配置するとよい。これにより、タンク１の回転方向に流れる風が、開口部１８ｃから上方に流出することを抑制できる。
【００４７】
以上のように、実施の形態２における洗濯機は、水槽３と、水槽３に回転可能に内包されたタンク１と、タンク１を回転駆動するモータ４と、水槽３とタンク１との間を覆うように、水槽３の上部に配設された水槽カバー１５と、を備える。水槽カバー１５には、水槽３とタンク１との間に液体洗剤を投入可能とする洗剤投入口１６が設けられ、洗剤投入口１８は、水槽３の内部に開口する開口部１８ｃを有しており、脱水動作時において脱水動作時においてタンク１が回転する向きに対して、上部が下部に対して先行するように傾斜して形成され、開口部１８ｃに向かって延伸する第２のリブ１７ｂを有さないことを特徴とする。
【００４８】
また、実施の形態２における洗濯機のように、洗剤投入口１８にはリブ１８ｂが一つ形成されており、開口部１８ｃはリブ１８ｂの下端よりも先行する位置に形成されているようにしてもよい。
【００４９】
これにより、簡易な形状で、タンク１の回転により発生した風が、液体洗剤を巻き上げて洗剤投入口１８の上方に流出することを抑止できる。
【００５０】
（実施の形態３）
実施の形態３における洗濯機は、洗剤投入口１６の代わりに洗剤投入口１９を備えることを除くと、実施の形態１における洗濯機と同様の構成である。
【００５１】
図８（ａ）は、図２（ｂ）におけるＢ−Ｂ断面に対応する、実施の形態３における洗濯機の洗剤投入口のＡ−Ａ断面図、図８（ｂ）は、図２（ｂ）におけるＢ−Ｂ断面に対応する、実施の形態２における洗濯機の洗剤投入口のＢ−Ｂ断面図である。
【００５２】
図８に示すように、洗剤投入口１９の上部には、洗剤を導入する傾斜面１９ａを備えており、傾斜面１９ａの下端の一部から、リブ１９ｂが形成されている。リブ１９ｂは、脱水時のタンク１の回転方向に対して、下部が上部に先行するように傾斜して形成されている。また、脱水時のタンク１の回転方向に対してリブ１９ｂに先行する位置に、リブ１９ｃが設けられている。リブ１９ｃは、脱水時のタンク１の回転方向に対して、上部が下部に先行するように傾斜して形成されている。リブ１９ｃの下端は、リブ１９ｂの下端に対して鉛直上方に位置している。リブ１９ｂとリブ１９ｃとの間は、ほぼ鉛直に開口する開口部１９ｄが形成されている。洗剤投入口１９に投入された洗剤は、傾斜面１９ａを伝って落下し、リブ１９ｂ又はリブ１９ｃを伝って開口部１９ｄへと落下する。
【００５３】
図９（ａ）は、実施の形態３における洗濯機の洗剤投入口における洗剤の流路を示す模式図、図９（ｂ）は、同洗濯機の洗剤投入口における風の動きを示す模式図である。
【００５４】
図９（ｂ）で示すように、実施の形態３において脱水時に発生した風は、リブ１９ｃよりも下方に位置するリブ１９ｂと衝突し、水槽３の内部へと進んでいく。従って、脱水時に発生した風は、リブ１９ｃの表面側に沿って洗剤投入口１９の上部へと流出しない。
【００５５】
以上のように、実施の形態３における洗濯機は、水槽３と、水槽３に回転可能に内包されたタンク１と、タンク１を回転駆動するモータ４と、水槽３とタンク１との間を覆うように、水槽３の上部に配設された水槽カバー１５と、を備える。水槽カバー１５には、水槽３とタンク１との間に液体洗剤を投入可能とする洗剤投入口１９が設けられ、洗剤投入口１９は、水槽３の内部に開口する開口部１９ｄと、少なくとも一部が、下部が上部に対して先行するように傾斜して形成され、開口部１９ｄに向かって延伸するリブ１９ｂと、上部が下部に対して先行するように傾斜して形成され、下端がリブ１９ｂの下端の近傍かつ上方に位置するリブ１９ｃと、を有する。
【００５６】
（他の実施の形態）
以上のように、本出願において開示する技術の例示として、実施の形態１〜３を説明した。しかしながら、本開示における技術は、これに限定されない。
【００５７】
そこで、以下、他の実施の形態を例示する。
【００５８】
実施の形態１〜３では、洗剤投入口１６の上方に位置する構成の一例として、洗濯機本体６に切欠けを形成する構成を説明した。洗剤投入口１６の上方に位置する構成は、特に限定するものではなく、洗剤投入口１６にも孔を形成し、孔を介して洗剤投入口１６に洗剤を投入する構成としてもよい。
【００５９】
実施の形態１〜３では、第１のリブの一例として、リブ１６ｂ及びリブ１８ｂを説明し
た。第１のリブは、少なくとも一部は、下部が上部に対して先行するように傾斜して形成されていればよい。従って、リブ１６ｂ及びリブ１８ｂの数及び傾斜度は限定するものではない。ただし、傾斜度を大きくすることで、風を効率よく遮ることが可能となる。また、リブ１６ｂ及びリブ１８ｂの下部を丸く形成してもよいし、略直角に曲げて形成してもよい。
【００６０】
実施の形態１〜３では、液剤の一例として、液体洗剤を説明した。液剤は、液体であればよいので、洗剤に限定されず、柔軟剤や漂白剤であってもよい。
【産業上の利用可能性】
【００６１】
本開示は、液剤を用いて洗濯する洗濯機に適用可能である。具体的には、縦型洗濯機、ドラム式洗濯機、二槽式洗濯機などに、本開示は適用可能である。
【符号の説明】
【００６２】
１  タンク（洗濯槽）
２  パルセータ
３  水槽
４  モータ
５  ギア
６  洗濯機本体
７  支持棒
８  バランサー
１０  表示基板
１１  給水弁
１２  給水経路
１５  水槽カバー
１６  洗剤投入口（投入口）
１６ａ  傾斜面
１６ｂ  リブ（第１のリブ）
１６ｃ  表面
１６ｄ  裏面
１６ｅ  空間
１６ｆ  開口部
１７  従来の洗剤投入口
１７ａ  リブ
１７ｂ  第２のリブ
１８  洗剤投入口（投入口）
１８ａ  傾斜面
１８ｂ  リブ（第１のリブ）
１８ｃ  開口部
１９  洗剤投入口（投入口）
１９ａ  傾斜面
１９ｂ  リブ（第１のリブ）
１９ｃ  第２のリブ
１９ｄ  開口部
【図１】
2020127609.tif 000003
【図２】
2020127609.tif 000004
【図３】
2020127609.tif 000005
【図４】
2020127609.tif 000006
【図５】
2020127609.tif 000007
【図６】
2020127609.tif 000008
【図７】
2020127609.tif 000009
【図８】
2020127609.tif 000010
【図９】
2020127609.tif 000011